(57)【要約】【課題】モードを選択することで、多種多様な音声通信及び放音を行うことができる音声処理装置を提供する。【解決手段】音声処理装置１（１ａ〜１ｃ）は、通信形態及び放音形態が異なるモード（ミュージックモード、オープンモード、インターホンモード）を複数備える。ミュージックモードとは、楽曲再生装置５から入力された楽曲信号を放音するモードである。オープンモードとは、全ての音声処理装置１間で音声通信を行うモードである。インターホンモードとは、特定の音声処理装置１間で１対１の音声通信を行うモードである。音声処理装置１は、モードを選択して実行することで、楽曲信号の放音や、全ての音声処理装置間での音声通信や、特定の音声処理装置との音声通信を選択して実行することができる。この結果、音声処理装置１は、多種多様な音声通信及び放音を行うことができる。【選択図】図４
2009088922.tif 000002
【特許請求の範囲】
【請求項１】
自装置の周囲の音声を収音して収音信号を生成する収音手段と、
音声信号を外部入力信号として入力する入力手段と、
他装置と通信信号を送受信する通信手段と、
放音信号を放音する放音手段と、
複数モードの中から実行するモードを選択するモード選択手段と、を備え、
前記モード選択手段は、
前記収音信号を通信信号として他装置に送信し、他装置から受信した通信信号を前記放音信号として放音するオープンモード、
前記収音信号を通信信号として特定の他装置に送信し、該特定の他装置から受信した通信信号を前記放音信号として放音するインターホンモード、
前記外部入力信号を通信信号として他装置に送信し、前記外部入力信号又は他装置から受信した通信信号を前記放音信号として放音する配信モード、
の中から実行するモードを選択する音声処理装置。
【請求項２】
前記収音手段が収音すると発話検出を行い、所定時間経過しても発話検出を行わない場合に無音検出を行う発話検出手段を更に備え、
前記モード選択手段は、配信モードの実行時に前記発話検出を行うと、オープンモードを選択し、オープンモードの実行時に前記無音検出を行うと、配信モードを選択する請求項１に記載の音声処理装置。
【請求項３】
モードの指定及び指定解除を受け付ける受付手段を更に備え、
前記モード選択手段は、該受付手段がモードの指定を受け付けると、指定されたモードを選択し、該受付手段がモードの指定解除を受け付けると、直前に実行していたモードを選択する請求項１又は請求項２に記載の音声処理装置。
【請求項４】
前記モード選択手段は、モードを選択すると、実行中のモードで放音している音声をフェードアウトし、選択したモードで放音する音声をフェードインする請求項１〜請求項３の何れか１項に記載の音声処理装置。
【発明の詳細な説明】
【技術分野】
【０００１】
この発明は、モードの切り替えを行うことで、該モードに応じた様々な態様で音声通信を行うとともに、該モードに応じた音声信号を選択して放音する音声処理装置に関する。
【背景技術】
【０００２】
従来、音声通信機能及び放収音機能を備えた音声処理装置が考案されている（特許文献１参照）。特許文献１のインターホンシステムでは、音声通信を開始する際に、１台のインターホンから残りの全インターホンに対して呼びかけを行い、該呼びかけに最初に応答したインターホンと１対１の音声通信を行う。
【特許文献１】特開２００２−１９９１１０号公報
【発明の開示】
【発明が解決しようとする課題】
【０００３】
特許文献１のインターホンシステムでは、常に最初に応答したインターホンと１対１の音声通信を行うので、３台以上のインターホン間で音声通信を行うことができなかった。また、収音した音声信号以外の音声信号を用いて音声通信を行うことができなかった。
【０００４】
そこで、この発明は、１対１の音声通信の他に３台以上の音声処理装置間で通信したり、収音した音声信号の他に外部入力された楽曲信号を用いて音声通信したりすることができる音声処理装置を提供することを目的とする。
【課題を解決するための手段】
【０００５】
この発明の音声処理装置は、自装置の周囲の音声を収音して収音信号を生成する収音手段と、音声信号を外部入力信号として入力する入力手段と、他装置と通信信号を送受信する通信手段と、放音信号を放音する放音手段と、複数モードの中から実行するモードを選択するモード選択手段と、を備え、前記モード選択手段は、前記収音信号を通信信号として他装置に送信し、他装置から受信した通信信号を前記放音信号として放音するオープンモード、前記収音信号を通信信号として特定の他装置に送信し、該特定の他装置から受信した通信信号を前記放音信号として放音するインターホンモード、前記外部入力信号を通信信号として他装置に送信し、前記外部入力信号又は他装置から受信した通信信号を前記放音信号として放音する配信モード、の中から実行するモードを選択することを特徴とする。
【０００６】
この構成により、音声処理装置は、一般的な放収音機能と、オーディオプレイヤー等の音源再生装置が再生した音声信号を入力する外部入力機能と、他装置と通信する通信機能と、を備える。音声処理装置は、オープンモードを選択すると、複数の他装置と音声通信を行う。また、音声処理装置は、インターホンモードを選択すると、特定の他装置と１対１の音声通信を行う。更に、音声処理装置は、配信モードを選択すると、音源再生装置から入力された外部入力信号を放音する。外部入力信号とは、自装置に接続された音源再生装置が再生した外部入力信号に限らず、他装置に接続された音源再生装置が再生した外部入力信号も含む。これにより、音声処理装置は、複数装置間での音声通信、１対１の音声通信、及び音源再生装置が再生した音声信号の放音を選択して実行することができる。音声処理装置は、多種多様な音声通信及び放音を行うことができる。
【０００７】
また、この発明の音声処理装置は、前記収音手段が収音すると発話検出を行い、所定時間経過しても発話検出を行わない場合に無音検出を行う発話検出手段を更に備え、前記モード選択手段は、配信モードの実行時に前記発話検出を行うと、オープンモードを選択し、オープンモードの実行時に前記無音検出を行うと、配信モードを選択することを特徴とする。
【０００８】
この構成により、音声処理装置は、発話を検出すると配信モードからオープンモードを選択し、無音検出を行うとオープンモードから配信モードを選択する。これにより、音声処理装置は、発話の有無に応じて、適切なモードを選択することができる。
【０００９】
更に、この発明の音声処理装置は、モードの指定及び指定解除を受け付ける受付手段を備え、前記モード選択手段は、該受付手段がモードの指定を受け付けると、指定されたモードを選択し、該受付手段がモードの指定解除を受け付けると、直前に実行していたモードを選択することを特徴とする。
【００１０】
この構成では、音声処理装置は、ユーザからの操作入力に応じたモードを選択し、ユーザからの操作入力により選択したモードを解除する。音声処理装置は、モードが解除されると、直前に実行していたモードを選択する。これにより、音声処理装置は、ユーザの操作入力によりモードを選択することができ、ユーザが所望するモードを選択することができる。
【００１１】
加えて、この発明の音声処理装置は、モードを選択すると、実行中のモードで放音している音声をフェードアウトし、選択したモードで放音する音声をフェードインすることを特徴とする。
【００１２】
この構成により、音声処理装置は、モードの選択が行われると、直前に放音していた音声信号の音量を徐々に下げ、新たに選択された音声信号の音量を徐々に上げて、モードの切り替えを行う。これにより、音声処理装置は、モードの選択とともに、直ちに放音対象の音声信号を切り替えないので、ユーザに対して不快な印象を与えない。
【発明の効果】
【００１３】
本発明によれば、モードを選択することで、音声処理装置は、複数装置間での音声通信、１対１の音声通信、及び音源再生装置が再生した音声信号の放音を選択して実行することができる。この結果、音声処理装置は、モードを選択することで、多種多様な音声通信及び放音を行うことができる。
【発明を実施するための最良の形態】
【００１４】
本実施形態に係る音声処理装置１の概要について図１を参照して説明する。図１は、音声処理装置の使用形態を説明する説明図である。
【００１５】
音声処理装置１（１ａ〜１ｃ）は、通信対象及び放音対象が異なるモード（ミュージックモード、オープンモード、インターホンモード）を複数備える。ミュージックモード（本発明の配信モードに相当する。）とは、楽曲再生装置５から入力された楽曲信号を放音するモードである。オープンモードとは、全ての音声処理装置１間で音声通信を行うモードである。インターホンモードとは、特定の音声処理装置１間で１対１の音声通信を行うモードである。
【００１６】
実行モードの選択は、ユーザ２の操作入力や、他の音声処理装置からの通知等により行われる。音声処理装置１は、モードを選択して実行することで、楽曲信号の放音や、全ての音声処理装置間での音声通信や、特定の音声処理装置との音声通信を選択して実行することができる。この結果、音声処理装置１は、多種多様な音声通信及び放音を行うことができる。
【００１７】
また、図１に示すように、音声処理装置１は、それぞれ居室３（３ａ〜３ｃ）に設置され、各居室３には、それぞれユーザ２（２ａ〜２ｃ）が在室する。各音声処理装置１は、伝送ライン４を介して接続され、音声通信可能となっている。音声処理装置１ａには、自装置に接続された楽曲再生装置５から楽曲信号が入力される。なお、伝送ライン４に接続される音声処理装置１の台数は、３台に限らない。
【００１８】
次に、音声処理装置１ａの機能・構成について図２を参照して説明する。なお、音声処理装置１ａ〜１ｃは同じ機能構成である。図２は、音声処理装置の機能・構成を示すブロック図である。音声処理装置１は、ステレオスピーカ１１（１１ａ，１１ｂ）、マイク１２（１２ａ〜１２ｃ）、操作部１３、記憶部１４、制御部１５、収音制御部１６、エコーキャンセル部１７、通信制御部１８、通信用入出力Ｉ／Ｆ１９、オーディオ用入力Ｉ／Ｆ２０、及び放音制御部２１から構成される。
【００１９】
ステレオスピーカ１１は、後述する放音制御部２１から入力されたステレオスピーカ１１毎の個別放音音声信号を音声変換して放音する。
【００２０】
マイク１２の各々は、収音した音声を電気変換して収音信号を生成し、収音制御部１６へ出力する。
【００２１】
操作部１３は、ユーザ２からの操作入力を受け付け、操作入力内容を制御部１５へ出力する。操作入力内容として、例えば、モードの指定や指定解除、音声通信相手の指定、収音感度調整、及び音量調整等がある。
【００２２】
記憶部１４は、モード遷移情報を記憶する。モード遷移情報は、モードの選択解除時に、直前に実行していたモードを調べる際に、制御部１５により参照される。
【００２３】
制御部１５は、操作部１３から入力された操作入力内容に基づいて、収音制御部１６、通信制御部１８、及び放音制御部２１を制御する。詳述すると、制御部１５は、操作部１３から入力された収音感度調整指示に基づいて収音制御部１６を制御し、音量調整指示に基づいて放音制御部２１を制御する。また、制御部１５は、操作部１３から入力されたモードの指定指示、通信制御部１８から入力されたモードの指定指示、及び収音制御部１６から入力された発話検出信号、無音検出信号に基づいて、モードの選択処理を行い、通信制御部１８及び放音制御部２１を制御する。モードの選択処理の詳細については、後述する。
【００２４】
収音制御部１６は、アンプ（不図示）、Ａ／Ｄ変換部（不図示）、ディレイ（不図示）、及び加算部（不図示）を備える。収音制御部１６は、マイク１２ａ〜１２ｃから入力された収音信号に対して、制御部１５の指示に基づいて、各種処理を行い、収音指向性を備える音声ビーム信号を複数方向毎に生成する。収音制御部１６は、これら生成した音声ビーム信号の中から、信号レベルが閾値以上の音声ビーム信号を取得して、エコーキャンセル部１７へ出力する。この際、信号レベルが閾値以上の音声ビーム信号が複数存在する場合は、これらの音声ビーム信号を合成して出力する。なお、収音制御部１６は、信号レベルが閾値以下の音声ビーム信号を収音時の騒音であるとして消去し、エコーキャンセル部１７へ出力しない。
【００２５】
また、収音制御部１６は、信号レベルが閾値以上の音声ビーム信号を生成すると、発話検出信号を制御部１５へ出力し、信号レベルが閾値以下の状態が所定時間継続した場合は、無音検出信号を制御部１５へ出力する。
【００２６】
エコーキャンセル部１７は、収音制御部１６から入力された音声ビーム信号に対して、エコーを除去し、通信制御部１８へ出力する。
【００２７】
通信制御部１８は、制御部１５の指示に基づいて、通信用入出力Ｉ／Ｆ１９を介して他装置の音声ビーム信号を選択して受信する。また、通信制御部１８は、オーディオ用入力Ｉ／Ｆ２０を介して、楽曲再生装置５にて再生された楽曲信号が入力される。更に、通信制御部１８は、制御部１５の指示に基づいて、通信用入出力Ｉ／Ｆ１９を介して音声ビーム信号及び楽曲信号の少なくとも一方を他装置に送信する。
【００２８】
また、楽曲再生装置５が接続されていない音声処理装置１ｂ，１ｃの通信制御部１８は、制御部１５の指示に基づいて、通信用入出力Ｉ／Ｆ１９を介して他装置の音声ビーム信号又は楽曲信号を受信する。また、制御部１５の指示に基づいて、通信用入出力Ｉ／Ｆ１９を介して音声ビーム信号を他装置に送信する。
【００２９】
放音制御部２１は、ディレイ（不図示）、Ｄ／Ａ変換部（不図示）、及びアンプ（不図示）を備える。放音制御部２１は、通信制御部１８が音声ビーム信号又は楽曲信号を入力すると、制御部１５の指示に基づいて、各種処理を行い、個別放音音声信号をステレオスピーカ１１ａ，１１ｂ毎に生成し、各ステレオスピーカ１１ａ，１１ｂへ出力する。なお、ディレイ、レベルを制御して、ユーザの両耳に到達する音声の時間差、音量差により仮想音源を設定することもできる。また、更に複数のスピーカを設置すれば放音に指向性を持たせることもできる。
【００３０】
次に、音声処理装置１が備えるモードと、該モードの選択処理について、図３，４を参照して説明する。図３は、音声処理装置が備えるモードの説明図である。図４は、音声処理装置間でのモード切替を説明する説明図である。図４（Ａ）は、モードがミュージックモードの状態を示し、図４（Ｂ）は、モードがオープンモードの状態を示し、図４（Ｃ），図４（Ｄ）は、モードがインターホンモードの状態を示す。なお、音声処理装置１ａにてモードの選択を行う場合について、以下に説明する。
【００３１】
図３に示すように、音声処理装置１ａは、ミュージックモード、オープンモード、インターホンモードの３種類のモードを備え、ミュージックモードが最も優先度が低く、インターホンモードが最も優先度が高いモードである。また、音声処理装置１ａは、デフォルトでオープンモードを実行する。更に、音声処理装置１ａは、ユーザ２ａの発話の有無及びユーザ２ａの操作入力に基づいて、適切なモードを選択する。
【００３２】
例えば、オープンモード実行中の音声処理装置１ａは、所定時間無音状態であることを検出する（無音検出）と、ミュージックモードを選択する。ミュージックモードを選択した音声処理装置１ａは、楽曲再生装置５が再生したステレオ形式の楽曲信号を放音するとともに、音声処理装置１ｂ〜１ｃへ楽曲信号を送信する。
【００３３】
また、ミュージックモード実行中の音声処理装置１ａは、ユーザ２ａの発話を検出する（発話検出）と、オープンモードを選択する。オープンモードを選択した音声処理装置１ａは、伝送ライン４を介して接続された全ての音声処理装置１ｂ，１ｃと音声通信を行う。
【００３４】
更に、音声処理装置１ａは、ユーザ２ａの操作入力によりインターホンモード、オープンモード、及びミュージックモードが指定される。例えば、オープンモード実行中の音声処理装置１ａは、ユーザ２ａの操作入力によりインターホンモードが指定されると、インターホンモードを選択する。インターホンモードを選択した音声処理装置１ａは、例えば、特定の音声処理装置１ｂと１対１の音声通信を行う。また、インターホンモード実行中の音声処理装置１ａは、ユーザ２ａの操作入力によりインターホンモードの指定が解除されると、直前に実行していたオープンモードを選択する。なお、上述した発話検出及び無音検出によるモードの選択は、ユーザ２の操作入力によりモードが指定された後は行われない。
【００３５】
上述のように、音声処理装置１ａは、ユーザ２ａの操作入力及び発話の有無により選択したモードを実行する。この際、音声処理装置１ａは、音声処理装置１ｂ，１ｃに選択したモードを通知する。音声処理装置１ｂ，１ｃは、モードの通知を受信すると、適宜通知されたモードを選択する。これにより、音声処理装置１ａ，１ｂ及び１ｃは、音声処理装置１ａが選択したモードを実行することができる。
【００３６】
例えば、図４（Ａ）に示すように、ミュージックモードを実行している状態で、音声処理装置１ａは、音声処理装置１ｂとのインターホンモードを選択すると、音声処理装置１ａ，１ｂでインターホンモードの選択処理を行う。この結果、図４（Ｃ）に示すように、音声処理装置１ａ，１ｂは、インターホンモードを実行する。この際、音声処理装置１ａ，１ｂを除く全ての音声処理装置（音声処理装置１ｃ）は、ミュージックモードを実行する。
【００３７】
その後、音声処理装置１ａは、インターホンモードの選択解除を行う。この結果、図４（Ａ）に示すように、音声処理装置１ａ〜１ｃは直前に実行していたミュージックモードを実行する。
【００３８】
また、例えば、図４（Ｂ）に示すように、オープンモードを実行している状態で、音声処理装置１ａは、音声処理装置１ｂとのインターホンモードを選択すると、音声処理装置１ａ，１ｂでインターホンモードの選択処理を行う。この結果、図４（Ｄ）に示すように、音声処理装置１ａ，１ｂは、インターホンモードを実行する。この際、音声処理装置１ａ，１ｂを除く全ての音声処理装置（音声処理装置１ｃ）はオープンモードを実行する。なお、本実施形態では、音声処理装置１ｃは、オープンモードで通信する相手の音声処理装置がないので、音声信号の送受信は行われない。
【００３９】
上述のように、モードの選択解除時、音声処理装置１は、直前に実行していたモードを選択する。この際、音声処理装置１は、モード遷移情報を参照して、直前に実行していたモードを調べる。以下、モード遷移情報について、図５を参照して説明する。図５は、モード遷移情報の説明図である。図５（Ａ）は、デフォルトの状態を示し、図５（Ｂ）は、インターホンモードを指定した状態を示す。
【００４０】
図５に示すように、モード遷移情報は、選択モード、モード指定の有無からなる。モード指定の有無は、デフォルトはＯＦＦであり、ユーザ２の操作入力によりモードが指定されるとＯＮになる。モード遷移情報は、モードを選択する都度、選択したモードを登録する。また、モード遷移情報は、選択したモードを解除すると、該当モードを削除する。
【００４１】
例えば、モード遷移情報は、デフォルトの状態（図５（Ａ））から、ユーザ２の操作入力によりインターホンモードが指定されると、図５（Ｂ）に示すように、モード指定の有無をＯＮし、インターホンモード（Ｎｏ．２）を追加した状態になる。また、ユーザ２の操作入力によりインターホンモードの指定が解除されると、インターホンモード（Ｎｏ．２）を削除して、図５（Ａ）に示す状態に戻る。
【００４２】
次に、モードの選択処理、及び選択解除処理について図６，７を参照して説明する。図６は、モードの選択処理を示すフローチャートである。図７は、モードの選択解除処理を示すフローチャートである。
【００４３】
まず、モードの選択処理について説明する。図６に示すように、音声処理装置１ａは、ユーザ２ａの操作入力によりモードが指定されると（Ｓ１０１：Ｙｅｓ）、指定されたモード（以下、指定モードと称す。）を選択して（Ｓ１０２）、選択したモードを他の音声処理装置１ｂ，１ｃへ通知する（Ｓ１０８）。
【００４４】
また、音声処理装置１ａは、モードが指定されない場合は（Ｓ１０１：Ｎｏ）、実行中のモードが指定モードか否かを調べる（Ｓ１０３）。指定モードを実行中の場合は（Ｓ１０３：Ｙｅｓ）、音声処理装置１ａは、実行中のモードをそのまま実行する（Ｓ１０４）。なお、指定モードを実行中か否かを調べるのは、ユーザ２の操作入力による指定を優先するためである。ユーザ２の操作入力による指定を優先しない場合は、ステップＳ１０３の処理を省略する。
【００４５】
指定モード以外のモードを実行中の場合（例えば、デフォルトのオープンモード、発話検出によるオープンモード、無音検出によるミュージックモード等を実行中）は（Ｓ１０３：Ｎｏ）、ミュージックモードを実行中か否かを調べる（Ｓ１０５）。ミュージックモード以外のモードを実行中の場合は（Ｓ１０５：Ｎｏ）、音声処理装置１ａは、実行中のモードをそのまま実行する（Ｓ１０４）。
【００４６】
ミュージックモードを実行中の場合は（Ｓ１０５：Ｙｅｓ）、音声処理装置１ａは、発話検出の有無を調べる（Ｓ１０６）。発話検出が有ると（Ｓ１０６：Ｙｅｓ）、オープンモードを選択して（Ｓ１０７）、選択したオープンモードを他の音声処理装置１ｂ，１ｃへ通知する（Ｓ１０８）。また、発話検出が無い場合は（Ｓ１０６：Ｎｏ）、実行中のモードをそのまま実行する（Ｓ１０４）。
【００４７】
音声処理装置１ｂ，１ｃは、音声処理装置１ａが選択したモードの通知を受信すると（Ｓ１２１：Ｙｅｓ）、受信したモードの優先度が実行中のモードの優先度より高いか否か調べる（Ｓ１２３）。受信したモードの優先度が低い場合は（Ｓ１２３：Ｎｏ）、実行中のモードをそのまま実行する（Ｓ１２２）。また、受信したモードの優先度が高い場合は（Ｓ１２３：Ｙｅｓ）、受信したモードを実行する旨を音声処理装置１ａに通知し（Ｓ１２４）、受信したモードを選択して実行する（Ｓ１２５）。この際、直前に実行していたモードに対応する音声をフェードアウトし、受信したモードに対応する音声をフェードインする。例えば、音声処理装置１ｂは、ミュージックモードの実行中にインターホンモードの通知を受信すると、楽曲信号の信号レベルを除々に下げて放音するとともに、音声処理装置１ａの音声ビーム信号の信号レベルを除々に上げて放音する。
【００４８】
なお、音声処理装置１ａからモードの通知を受信するまでの間（Ｓ１２１：Ｎｏ）、音声処理装置１ｂ，１ｃは、実行中のモードをそのまま実行する（Ｓ１２２）。
【００４９】
音声処理装置１ａは、音声処理装置１ｂ，１ｃが受信したモードを実行する旨を受信すると（Ｓ１０９：Ｙｅｓ）、選択したモードを実行する（Ｓ１１０）。この際、直前に実行していたモードに対応する音声をフェードアウトし、受信したモードに対応する音声をフェードインする。
【００５０】
また、所定時間経過しても、音声処理装置１ｂ，１ｃが受信したモードを実行する旨を受信しない場合は（Ｓ１０９：Ｎｏ）、音声処理装置１ａは、実行中のモードをそのまま実行する（Ｓ１０４）。以上で、モードの選択処理が完了する。
【００５１】
次に、上述したモードの選択処理により、選択したモードを解除する場合について説明する。図７に示すように、音声処理装置１ａは、ユーザ２ａの操作入力によるモードの指定解除が行われると（Ｓ１３１：Ｙｅｓ）、モードの選択解除通知を他の音声処理装置１ｂ，１ｃへ通知する（Ｓ１３６）。そして、音声処理装置１ａは、モード遷移情報を参照して、直前に実行していたモードを選択して実行する（Ｓ１３７）。
【００５２】
音声処理装置１ａは、ユーザ２ａの操作入力によりモードの指定解除が行われない場合は（Ｓ１３１：Ｎｏ）、モード遷移情報を参照して、実行中のモードが指定モードか否かを調べる（Ｓ１３２）。指定モードを実行中の場合は（Ｓ１３２：Ｙｅｓ）、実行中の指定モードをそのまま実行する（Ｓ１３４）。なお、指定モードを実行中か否かを調べるのは、ユーザ２の操作入力による指定を優先するためである。ユーザ２の操作入力による指定を優先しない場合は、ステップＳ１３２の処理を省略する。
【００５３】
指定モード以外のモードを実行中の場合は（Ｓ１３２：Ｎｏ）、オープンモードを実行中か否かを調べる（Ｓ１３３）。オープンモード以外のモードを実行中の場合は（Ｓ１３３：Ｎｏ）、音声処理装置１ｂ，１ｃは、実行中のモードをそのまま実行する（Ｓ１３４）。
【００５４】
オープンモードを実行中の場合は（Ｓ１３３：Ｙｅｓ）、音声処理装置１ａは、無音検出の有無を調べる（Ｓ１３５）。無音検出が有る場合（Ｓ１３５：Ｙｅｓ）、上述したステップＳ１３６以降の処理を行う。また、無音検出が無い場合、すなわち発話を検出した場合（Ｓ１３５：Ｎｏ）、実行中のモードをそのまま実行する（Ｓ１３４）。
【００５５】
音声処理装置１ｂ，１ｃは、モードの選択解除通知を受信すると（Ｓ１４１：Ｙｅｓ）、モード遷移情報を参照して、直前に実行していたモードを選択して実行する（Ｓ１４２）。モードの選択解除通知を受信するまでの間（Ｓ１４１：Ｎｏ）、実行中のモードをそのまま実行する（Ｓ１４３）。以上でモードの選択解除処理が完了する。
【００５６】
以上のように、音声処理装置１は、ユーザ２の操作入力又は発話の有無によりモードを選択することができる。音声処理装置１は、モードを選択することで、１対１の音声通信の他に３台以上の音声処理装置間で音声通信したり、音声通信により受信した音声ビーム信号の他に、楽曲信号等を放音したりすることができる。また、選択したモードを解除することで、音声処理装置１ａは、直前に実行していたモードに戻して実行することができる。
【００５７】
次に、選択したモードに対応する音声の送受信処理について、図８を参照して説明する。図８は、音声の送受信処理を示すフローチャートである。図８（Ａ）は、音声処理装置１ａの送信処理を示し、図８（Ｂ）は、音声処理装置１ｂ，１ｃの受信処理を示す。
【００５８】
まず、楽曲信号及び音声ビーム信号を送信する音声処理装置１ａの処理について説明する。図８（Ａ）に示すように、音声処理装置１ａは、自装置の実行モードがミュージックモードの場合（Ｓ１５１：ミュージックモード）、楽曲再生装置５からステレオ形式の楽曲信号を入力して（Ｓ１５２）、放音する（Ｓ１５３）とともに、音声処理装置１ｂ，１ｃへ楽曲信号を送信する（Ｓ１５４）。
【００５９】
音声処理装置１ａは、自装置の実行モードがオープンモードの場合（Ｓ１５１：オープンモード）、周囲の収音により音声ビーム信号を生成して（Ｓ１５５）、音声処理装置１ｂ，１ｃへ送信する（Ｓ１５６）。
【００６０】
音声処理装置１ａは、自装置の実行モードがインターホンモードの場合（Ｓ１５１：インターホンモード）、周囲の収音により音声ビーム信号を生成する（Ｓ１５７）とともに、楽曲再生装置５からステレオ形式の楽曲信号を入力する（Ｓ１５８）。音声処理装置１ａは、生成した音声ビーム信号と楽曲信号とを音声処理装置１ｂ，１ｃへ送信する（Ｓ１５９）。
【００６１】
次に、音声処理装置１ａから、楽曲信号又は音声ビーム信号の少なくとも一方を受信する音声処理装置１ｂ，１ｃの処理について、説明する。図８（Ｂ）に示すように、音声処理装置１ｂ，１ｃは、自装置の実行モードがミュージックモードの場合（Ｓ１７１：ミュージックモード）、楽曲信号を選択して受信し（Ｓ１７２）、放音する（Ｓ１７３）。
【００６２】
音声処理装置１ｂ，１ｃは、自装置の実行モードがオープンモードの場合（Ｓ１７１：オープンモード）、音声ビーム信号を受信して（Ｓ１７４）、放音する（Ｓ１７５）。
【００６３】
音声処理装置１ｂ，１ｃは、自装置の実行モードがインターホンモードの場合（Ｓ１７１：インターホンモード）、通信相手の特定の音声処理装置からの音声ビーム信号を選択して受信し（Ｓ１７６）、放音する（Ｓ１７７）。
【００６４】
以上のように、音声処理装置１ａは、楽曲信号及び音声ビーム信号を音声処理装置１ｂ，１ｃへ送信する。音声処理装置１ｂ，１ｃは、実行中のモードに応じて音声ビーム信号又は楽曲信号を選択して受信する。
【００６５】
なお、本実施形態では、収音制御部１６にて収音指向性を備える音声ビーム信号を生成し、放音制御部２１にてステレオスピーカ１１に対応する個別放音音声信号を生成する。しかし、収音指向性及び放音指向性は、備えても備えなくてもよい。
【００６６】
また、本実施形態では、音声処理装置１ａに楽曲再生装置５が再生した楽曲信号を入力したが、例えば、音声処理装置１ａは、ラジオやテレビ等の他の音源から入力された音声信号を入力してもよい。
【００６７】
更に、本実施形態では、送信側の音声処理装置１は、受信側の全ての音声処理装置１へ楽曲信号及び音声信号を送信する。そして、受信側の音声処理装置１において、ミュージックモードの時は楽曲信号を選択して受信し、オープンモードの時は音声ビーム信号を選択して受信し、インターホンモードの時は特定の音声処理装置からの音声ビーム信号を選択して受信する。しかし、送信側の音声処理装置１が、ミュージックモードを実行している音声処理装置を選択して個別に楽曲信号を送信してもよい。この場合において、送信側の音声処理装置が、オープンモードの時は他の全ての音声処理装置に音声ビーム信号を送信し、インターホンモードの時は通信相手の音声処理装置のみに音声ビーム信号を送信すればよい。
【００６８】
加えて、本実施形態では、音声処理装置１ａは、無音検出を行うと、他の音声処理装置１ｂ，１ｃにオープンモードの選択解除を通知して、ミュージックモードを実行する。そして、オープンモードの選択解除通知を受信した音声処理装置１ｂ，１ｃは、ミュージックモードを実行する。しかし、音声処理装置１ａ〜１ｃの各々が無音検出を行い、各々がミュージックモードを実行してもよい。
【００６９】
また、本実施形態では、音声処理装置１ａ〜１ｃがミュージックモードの実行中に、音声処理装置１ａ，１ｂがインターホンモードを実行すると、音声処理装置１ｃは、ミュージックモードをそのまま実行する。しかし、音声処理装置１ｃは、音声処理装置１ａ，１ｂがインターホンモードを実行すると、ミュージックモードを中止して、楽曲信号の受信及び放音を中止してもよい。同様に、音声処理装置１ａ〜１ｃがオープンモードの実行中に、音声処理装置１ａ，１ｂがインターホンモードを実行すると、音声処理装置１ｃは、通信相手の音声処理装置が存在すれば、オープンモードをそのまま実行する。しかし、音声処理装置１ｃは、音声処理装置１ａ，１ｂがインターホンモードを実行すると、オープンモードを中止して、音声信号の送受信を中止してもよい。
【図面の簡単な説明】
【００７０】
【図１】音声処理装置の使用形態を説明する説明図である。
【図２】音声処理装置の機能・構成を示すブロック図である。
【図３】音声処理装置が備えるモードの説明図である。
【図４】音声処理装置間でのモード切替を説明する説明図である。
【図５】モード遷移情報の説明図である。
【図６】モードの選択処理を示すフローチャートである。
【図７】モードの選択解除処理を示すフローチャートである。
【図８】音声の送受信処理を示すフローチャートである。
【符号の説明】
【００７１】
１−音声処理装置，２−ユーザ，３−居室，４−伝送ライン，５−楽曲再生装置，１１−ステレオスピーカ，１２−マイク，１３−操作部，１４−記憶部，１５−制御部，１６−収音制御部，１７−エコーキャンセル部，１８−通信制御部，１９−通信用入出力Ｉ／Ｆ，２０−オーディオ用入力Ｉ／Ｆ，２１−放音制御部
【図１】
2009088922.tif 000003
【図２】
2009088922.tif 000004
【図３】
2009088922.tif 000005
【図４】
2009088922.tif 000006
【図５】
2009088922.tif 000007
【図６】
2009088922.tif 000008
【図７】
2009088922.tif 000009
【図８】
2009088922.tif 000010